(57)【要約】【課題】ＷＷＷブラウザによる設定情報の変更可能を行うことによって動作に不具合が発生する事態を回避する。【解決手段】ＷＷＷブラウザ２０１から出された設定変更要求をＷＷＷサーバー部１０１で受信し、メモリ１０７の更新に先立ち影響判定部１０２で設定変更を行った場合の影響を判定する。悪影響があると判断した場合はメモリ１０７の更新を行わず、悪影響がないと判断した場合は設定変更要求にしたがって設定情報の変更を行う。【選択図】    図１
2004348499.tif 000002
【特許請求の範囲】
【請求項１】
ホスト端末とネットワーク接続するネットワークインターフェースと、前記ホスト端末に導入されているＷＷＷブラウザによって閲覧可能な情報を記憶しているＷＷＷサーバーとを有し、前記ＷＷＷブラウザの操作によって装置の設定情報を変更可能な画像形成装置において、
前記ホスト端末から受信した設定変更が動作中の制御に与える影響を判断する判断手段を有し、設定変更が動作中の制御に悪影響を与えると前記判断手段が判断した場合に設定変更を行わないことを特徴とするＷＷＷブラウザから設定可能な画像形成装置。
【請求項２】
前記判断手段で悪影響を与えると判断する判断基準が、装置が印刷中であった場合であることを特徴とする請求項１記載のＷＷＷブラウザから設定可能な画像形成装置。
【請求項３】
前記判断手段で悪影響を与えると判断する判断基準が、装置のパネル操作部に設定画面が表示されていた場合であることを特徴とする請求項１記載のＷＷＷブラウザから設定可能な画像形成装置。
【請求項４】
前記判断手段で悪影響を与えると判断する判断基準が、別のＷＷＷブラウザよりすでに設定変更要求が出されている状態であることを特徴とする請求項１記載のＷＷＷブラウザから設定可能な画像形成装置。
【発明の詳細な説明】
【０００１】
【発明の属する技術分野】
本発明は、コピー，プリンタ，ファクシミリ装置等に適用され、特に、ＷＷＷ（Ｗｏｒｌｄ  Ｗｉｄｅ  Ｗｅｂ）サーバー機能を有するＷＷＷブラウザから設定可能な画像形成装置に関する。
【０００２】
【従来の技術】
従来におけるこの種の技術としては特許文献１に記載されたものがあり、この特許文献１によれば、複数の機能ボードにより種々の処理を行う画像処理複合装置において、機能ボードのバージョンアップのタイミングを予め設定しておき、このタイミングが到来すると、バージョンアップに関わる機能ボードの処理を禁止状態にし、バージョンアップを自動的に行い、バージョンアップデータは、例えばＬＡＮ上のサーバや電話回線経由の外部装置に保持しておき、前記タイミングでネットワーク・インタフェース部を介して入力し、バージョンアップ後は、バージョン情報などを記憶しておくことにより、機能の追加，変更を設定されたタイミングで効率的に行うことのできるデータ処理装置が提案されている。
【０００３】
【特許文献１】
特開平０９−１６７０９４公報
【０００４】
【発明が解決しようとする課題】
ＷＷＷブラウザの操作により設定情報の変更が可能である場合、画像形成装置の状態にかかわらず任意のタイミングで設定変更の要求が出される可能性がある。このとき、設定変更をそのまま行ってしまうと、画像形成装置の動作状態によっては思わぬ事態が発生してしまうことがある。例えば、装置が印刷中であった場合、印刷途中で印刷に関わる設定が変更されてしまい、途中から印刷様式が変わってしまうと言った事態を引き起こすおそれがある。
【０００５】
本発明は、このような問題点を解決し、ＷＷＷブラウザによる設定情報の変更可能を行うことによって動作に不具合が発生する事態を回避することを可能にしたＷＷＷブラウザから設定可能な画像形成装置を提供することを目的とする。
【０００６】
【課題を解決するための手段】
前記目的を達成するため、請求項１に係る発明は、ホスト端末とネットワーク接続するネットワークインターフェースと、前記ホスト端末に導入されているＷＷＷブラウザによって閲覧可能な情報を記憶しているＷＷＷサーバーとを有し、前記ＷＷＷブラウザの操作によって装置の設定情報を変更可能な画像形成装置において、前記ホスト端末から受信した設定変更が動作中の制御に与える影響を判断する判断手段を有し、設定変更が動作中の制御に悪影響を与えると前記判断手段が判断した場合に設定変更を行わないことを特徴とする。このような構成にしたことにより、ＷＷＷブラウザより設定変更要求が出された場合に、設定変更が動作中の制御に悪影響を与えると判断したとき、設定変更を行わないことで、設定変更を行うことにより動作に不具合が発生する事態を回避することが可能になる。
【０００７】
請求項２に係る発明は、請求項１に係る発明において、前記判断手段で悪影響を与えると判断する判断基準が、装置が印刷中であった場合であることを特徴とする。このような構成にしたことにより、画像形成装置が印刷中であった場合であることによって、印刷途中で印刷に関わる設定が変更されてしまう事態を回避することが可能になる。
【０００８】
請求項３に係る発明は、請求項１に係る発明において、前記判断手段で悪影響を与えると判断する判断基準が、装置のパネル操作部に設定画面が表示されていた場合であることを特徴とする。このような構成にしたことにより、画像形成装置のパネル操作部による設定変更とＷＷＷブラウザによる設定変更の衝突を回避することが可能になる。
【０００９】
請求項４に係る発明は、請求項１に係る発明において、前記判断手段で悪影響を与えると判断する判断基準が、別のＷＷＷブラウザよりすでに設定変更要求が出されている状態であることを特徴とする。このような構成にしたことにより、複数のＷＷＷブラウザによる設定変更の衝突を回避することが可能になる。
【００１０】
【発明の実施の形態】
以下、本発明の好適な実施の形態を図１ないし図５を参照し、詳細に説明する。
【００１１】
図１は本発明の第１の実施の形態に係るプリンタ装置の構成を示すブロック図である。このプリンタ１００は、ＷＷＷサーバー部１０１、影響判定部１０２、パネル操作部１０３、ネットワークインターフェース部１０４、ＲＯＭ（リード・オンリ・メモリ）１０５、ＣＰＵ（中央処理装置）１０６、メモリ１０７、画像形成部１０８を備えている。また、プリンタ１００はホスト装置１５０とデータの送受信が可能に接続されており、ホスト装置１５０にはプリンタ１００に対して設定変更要求等の信号を出力する際に、各種設定内容を閲覧するとともに指定入力を行うための画面を表示させるソフトウェアであるＷＷＷブラウザ２０１が導入されている。なお、本実施の形態においては、プリンタ１００に対して２台のホスト装置１５０，１５１がＬＡＮ接続されており、ホスト装置１５１にはＷＷＷブラウザ２０２が導入されている。
【００１２】
ＷＷＷサーバー部１０１には、現在の印刷設定内容や設定メニュー、また、記録材料（インクやトナー等）の残量、残りの用紙量、稼働状況、ジャムの発生状況等のステータス情報、さらには装置のマニュアルやトラブルシューティング等のデータやファイルが記憶されており、ＣＰＵ１０６の制御に基づいて逐次内容が更新される。そして、ＷＷＷサーバー部１０１に蓄積されているデータは、ＷＷＷブラウザ２０１またはＷＷＷブラウザ２０２によって閲覧することができる。
【００１３】
プリンタ１００の設定変更を行う場合には、ＷＷＷブラウザ２０１，２０２によって設定メニューを表示させ、各種の入力を行った後に設定変更要求をプリンタ１００に送信する。もしくは、パネル操作部１０３の操作によって設定変更要求を入力する。各種の設定情報はメモリ１０７に記憶されており、設定変更要求が入力された場合、メモリ１０７に記憶されている設定情報が更新される。また、メモリ１０７には各種のステータス情報が記憶されており、メモリ１０７の内容に基づいてＷＷＷサーバー部１０１に蓄積された情報が更新される。
【００１４】
図２は第１の実施の形態の処理手順を示すフローチャートである。
【００１５】
ＷＷＷブラウザ２０１から出された設定変更要求をネットワークインターフェース部１０４で受信した時、メモリ１０７の更新に先立ち影響判定部１０２で設定変更を行った場合の影響を判定する。悪影響があると判断した場合はメモリ１０７の更新を行わず、設定変更を行わなかった旨をホスト装置１５０に送信する。悪影響がないと判断した場合は設定変更要求にしたがって設定情報の変更を行う。そして、設定情報の変更が完了した時点で設定変更が完了した旨をホスト装置１５０に送信する。
【００１６】
このように、設定変更が動作中の制御に悪影響を与えると影響判定部１０２が判断した場合には設定変更を行わないことにより、設定変更を行った場合に想定される不具合の発生を回避することが可能となる。
【００１７】
図３は第２の実施の形態の処理手順を示すフローチャートである。
【００１８】
ＷＷＷブラウザ２０１から出された設定変更要求をネットワークインターフェース部１０４で受信した時、影響判定部１０２で画像形成部１０８が動作中であるか判定する。画像形成部１０８が動作中であると判断した場合はメモリ１０７の更新を行わない。画像形成部１０８がアイドル状態であると判断した場合は設定変更要求にしたがって設定情報の変更を行う。
【００１９】
このように、影響判定部１０２において悪影響を与えると判断する判断基準が、画像形成部１０８が印刷中であった場合であることにより、印刷途中で印刷に関わる設定が変更されてしまう事態を回避することが可能となる。
【００２０】
図４は第３の実施の形態の処理手順を示すフローチャートである。
【００２１】
ＷＷＷブラウザ２０１から出された設定変更要求をネットワークインターフェース部１０４で受信した時、パネル操作部１０３で設定画面が表示されているかについて影響判定部１０２が判定する。パネル操作部１０３で設定画面が表示されていると判断した場合はメモリ１０７の更新を行わない。パネル操作部１０３で設定画面が表示されていないと判断した場合は設定変更要求にしたがって設定情報の変更を行う。
【００２２】
このように、影響判定部１０２において悪影響を与えると判断する判断基準が、装置本体のパネル操作部１０３で設定画面が表示されている場合であることにより、パネル操作部１０３による設定変更とＷＷＷブラウザ２０１による設定変更の衝突を回避することが可能となる。
【００２３】
図５は第４の実施の形態の処理手順を示すフローチャートである。
【００２４】
ＷＷＷブラウザ２０１から出された設定変更要求をネットワークインターフェース部１０４で受信した時、影響判定部１０２ですでにＷＷＷブラウザ２０２から設定変更要求が出されている状態であるか判定する。すでにＷＷＷブラウザ２０２から設定変更要求が出されている状態であると判断した場合はメモリ１０７の更新を行わない。ＷＷＷブラウザ２０２から設定変更要求が出されていないと判断した場合は設定変更要求にしたがって設定情報の変更を行う。
【００２５】
このように、影響判定部１０２において悪影響を与えると判断する判断基準が、別のＷＷＷブラウザよりすでに設定変更要求が出されている状態であることにより、複数のＷＷＷブラウザによる設定変更の衝突を回避することが可能となる。
【００２６】
【発明の効果】
以上、説明したように、本発明によれば、ＷＷＷブラウザより設定変更要求が出された際に、設定変更が動作中の制御に悪影響を与えると判断手段が判断した場合には設定変更を行わないことにより、設定変更に伴って動作に不具合が発生する事態を回避することが可能となる。
【図面の簡単な説明】
【図１】本発明の第１の実施の形態に係るプリンタ装置の構成を示すブロック図
【図２】第１の実施の形態の処理手順を示すフローチャート
【図３】第２の実施の形態の処理手順を示すフローチャート
【図４】第３の実施の形態の処理手順を示すフローチャート
【図５】第４の実施の形態の処理手順を示すフローチャート
【符号の説明】
１００  プリンタ
１０１  ＷＷＷサーバー部
１０２  影響判定部
１０３  パネル操作部
１０４  ネットワークインターフェース部
１０５  ＲＯＭ（リード・オンリ・メモリ）
１０６  ＣＰＵ（中央処理装置）
１０７  メモリ
１０８  画像形成部
１５０，１５１  ホスト装置
２０１，２０２  ＷＷＷブラウザ
【図１】
2004348499.tif 000003
【図２】
2004348499.tif 000004
【図３】
2004348499.tif 000005
【図４】
2004348499.tif 000006
【図５】
2004348499.tif 000007